(57)【要約】【課題】コネクタ本体に挿入された接続対象物を押圧部材によって押圧する際、接続対象物と端子との位置ずれによる接触不良や接続対象物の変形等を確実に防止することのできるコネクタを提供する。【解決手段】押圧部材３０を下方に回動すると、押圧片３１の接触部３１ａがフレキシブル回路１に接触し、フレキシブル回路１が接触部３１ａによって各端子２０側に押圧される。これにより、各端子２０がフレキシブル回路１に弾性的に圧接し、フレキシブル回路１が各端子２０に電気的に接続される。その際、押圧部材３０の接触部３１ａはフレキシブル回路１にほぼ垂直な方向から接触することから、フレキシブル回路１が挿入方向及び反挿入方向の何れにも位置ずれを生ずることがない。【選択図】　図９
2004079337.tif 000002
【特許請求の範囲】
【請求項１】
接続対象物の一端を所定位置に挿入可能なコネクタ本体と、コネクタ本体に挿入された接続対象物に電気的に接触する端子と、接続対象物を端子側に押圧する押圧部材とを備え、押圧部材をコネクタ本体に回動自在に設けるとともに、押圧部材を一方に回動すると押圧部材が接続対象物を押圧し、押圧部材を他方に回動すると押圧部材が接続対象物への押圧を解除するようにしたコネクタにおいて、
前記押圧部材を接続対象物の接触面に対してほぼ垂直方向から接触するように形成した
ことを特徴とするコネクタ。
【請求項２】
前記押圧部材を、接続対象物との接触部の回転軌跡の接線が接続対象物との接触位置において接続対象物の接触面とほぼ垂直となるように設けた
ことを特徴とする請求項１記載のコネクタ。
【請求項３】
前記押圧部材の接触部を接続対象物と面接触する平面によって形成した
ことを特徴とする請求項１または２記載のコネクタ。
【請求項４】
前記押圧部材を接続対象物の押圧位置及び押圧解除位置でそれぞれロックするロック手段を備えた
ことを特徴とする請求項１、２または３記載のコネクタ。
【請求項５】
前記ロック手段を、コネクタ本体内に設けられたロック部と、押圧部材に設けられた第１及び第２の係止部とから構成するとともに、
前記各位置の一方で各係止部の一方がロック部と係止し、押圧部材の回動方向に所定の大きさ以上の力を加えると、一方の係止部の係止が解除されて他方の位置で他方の係止部がロック部と係止するように構成した
ことを特徴とする請求項４記載のコネクタ。
【発明の詳細な説明】
【０００１】
【発明の属する技術分野】
本発明は、例えばフレキシブルプリント回路（ＦＰＣ）やフレキシブルフラットケーブル（ＦＦＣ）等を接続するためのコネクタに関するものである。
【０００２】
【従来の技術】
従来、この種のコネクタとしては、例えば特許第２８９２９４５号公報に記載されているように、接続対象物（フレキシブル基板）の一端を挿入可能なコネクタ本体と、コネクタ本体に挿入された接続対象物と電気的に接触する端子と、接続対象物を端子側に押圧する押圧部材とを備え、押圧部材をコネクタ本体に回動自在に設けるとともに、押圧部材を一方に回動させると押圧部材が接続対象物に圧接し、押圧部材を他方に回動させると押圧部材が接続対象物から離れるようにしたものが知られている。
【０００３】
【発明が解決しようとする課題】
しかしながら、前記コネクタでは、押圧部材を一方に回動させると、押圧部材の加圧部が接続対象物の挿入方向とは逆方向に移動しながら接続対象物に接触するようになっているため、コネクタ本体内の所定位置まで挿入された接続対象物が押圧部材によって挿入方向の逆方向に押し戻される。このため、接続対象物の接点と端子とを正確な位置で接触させることができず、接触不良を生ずるおそれがあった。
【０００４】
また、例えば実公平４−３３６７１号公報に記載されているように、押圧部材の加圧部が接続対象物の挿入方向に移動しながら接続対象物に接触するものもあるが、この場合はコネクタ本体内の所定位置まで挿入された接続対象物が押圧部材によって更に挿入方向に押し込まれるため、接続対象物の撓みや変形を生ずるという問題点があった。
【０００５】
本発明は前記問題点に鑑みてなされたものであり、その目的とするところは、コネクタ本体に挿入された接続対象物を押圧部材によって押圧する際、接続対象物と端子との位置ずれによる接触不良や接続対象物の変形等を確実に防止することのできるコネクタを提供することにある。
【０００６】
【課題を解決するための手段】
本発明は前記目的を達成するために、請求項１では、接続対象物の一端を所定位置に挿入可能なコネクタ本体と、コネクタ本体に挿入された接続対象物に電気的に接触する端子と、接続対象物を端子側に押圧する押圧部材とを備え、押圧部材をコネクタ本体に回動自在に設けるとともに、押圧部材を一方に回動すると押圧部材が接続対象物を押圧し、押圧部材を他方に回動すると押圧部材が接続対象物への押圧を解除するようにしたコネクタにおいて、前記押圧部材を接続対象物の接触面に対してほぼ垂直方向から接触するように形成している。
【０００７】
これにより、押圧部材を一方に回動すると、押圧部材が接続対象物の接触面に対してほぼ垂直な方向から接触することから、接続対象物が挿入方向及び反挿入方向の何れにも位置ずれを生ずることがない。
【０００８】
また、請求項２では、請求項１記載のコネクタにおいて、前記押圧部材を、接続対象物との接触部の回転軌跡の接線が接続対象物との接触位置において接続対象物の接触面とほぼ垂直となるように設けている。
【０００９】
これにより、請求項１の作用に加え、押圧部材における接触部の回転軌跡の接線が接続対象物との接触位置において接続対象物の接触面とほぼ垂直をなすようになっていることから、回動する押圧部材を接続対象物に常に垂直方向から接触させることが可能となる。
【００１０】
また、請求項３では、請求項１または２記載のコネクタにおいて、前記押圧部材の接触部を接続対象物と面接触する平面によって形成している。
【００１１】
これにより、請求項１または２の作用に加え、押圧部材の接触部が接続対象物と面接触することから、接続対象物との接触面積が大きくなるとともに、押圧部材の押圧力が接触部において均一に分散される。
【００１２】
また、請求項４では、請求項１、２または３記載のコネクタにおいて、前記押圧部材を接続対象物の押圧位置及び押圧解除位置でそれぞれロックするロック手段を備えている。
【００１３】
これにより、請求項１、２または３の作用に加え、押圧位置及び押圧解除位置にそれぞれ保持することが可能となる。
【００１４】
また、請求項５では、請求項４記載のコネクタにおいて、前記ロック手段を、コネクタ本体内に設けられたロック部と、押圧部材に設けられた第１及び第２の係止部とから構成するとともに、前記各位置の一方で各係止部の一方がロック部と係止し、押圧部材の回動方向に所定の大きさ以上の力を加えると、一方の係止部の係止が解除されて他方の位置で他方の係止部がロック部と係止するように構成している。
【００１５】
これにより、請求項４の作用に加え、押圧部材の回動方向に所定の大きさ以上の力を加えると、前記押圧位置及び押圧解除位置の一方の位置でのロックが解除されて他方の位置でロックされることから、押圧部材の回動操作以外に別途ロック操作及びロック解除操作を必要としない。
【００１６】
【発明の実施の形態】
図１乃至図１１は本発明の一実施形態を示すもので、図１及び図２はコネクタの斜視図、図３はその正面図、図４はその背面図、図５はその側面図、図６はその平面図、図７はその底面図、図８及び図９はその側面断面図、図１０は図８のＡ−Ａ線矢視方向断面図、図１１は押圧部材の側面断面図である。
【００１７】
このコネクタは、接続対象物としてのフレキシブル回路１の一端を挿入可能なコネクタ本体１０と、コネクタ本体１０に挿入された接続対象物１の接点と電気的に接触する複数の端子２０と、接続対象物１を各端子２０側に押圧する押圧部材３０とから構成されている。
【００１８】
フレキシブル回路１は、いわゆるフレキシブルプリント回路（ＦＰＣ）と称されるものであり、その先端側の一方の面には複数の電気接点（図示せず）が互いに幅方向に間隔をおいて設けられている。尚、接続対象物としては、フレキシブルフラットケーブル（ＦＦＣ）等であってもよい。
【００１９】
コネクタ本体１０は合成樹脂の一体成型品からなり、上面を開口した箱状に形成されている。即ち、コネクタ本体１０は、前壁部１１、後壁部１２及び側壁部１３からなり、その上面開口部からフレキシブル回路１が挿入されるようになっている。前壁部１１及び後壁部１２の内面側には上下方向に延びる複数の溝１１ａ，１２ａが幅方向に等間隔で設けられ、各溝１１ａ，１２ａには各端子２０がそれぞれ保持されるようになっている。各側壁部１３には上下方向に延びる上側スリット１３ａ及び下側スリット１３ｂが設けられ、各スリット１３ａ，１３ｂによって押圧部材３０を支持するようになっている。上側スリット１３ａは側壁部１３の内面側に設けられるとともに、下側スリット１３ｂは側壁部１３の外面側に設けられ、各スリット１３ａ，１３ｂは側壁部１３の上部において互いに連通している。また、コネクタ本体１０内には押圧部材３０を一方の回動位置及び他方の回動位置でそれぞれ保持するロック部１４が設けられ、ロック部１４は前壁部１１の上端側のやや内側に形成されている。
【００２０】
各端子２０は導電性の金属板からなり、コネクタ本体１０の各溝１１ａ，１２ａにそれぞれ保持されている。各端子２０は、上下方向に延びる端子本体部２１と、フレキシブル回路１に接触するコンタクト部２２と、基板２に接続される基板接続部２３とからなる。端子本体部２１は前壁部１１の溝１１ａ内に配置され、前壁部１１とコネクタ本体１０内の固定部１５との間に圧入されることによって固定されている。コンタクト部２２は端子本体部２１の下端側から後壁部１２に向かって水平方向に延びるとともに、後壁部１２に沿って上方に延び、その先端にはフレキシブル回路１との接触部２２ａが形成されている。即ち、コンタクト部２２はコネクタ本体１０の前後方向に弾性変形可能に形成され、後壁部１２の溝１２ａ内に遊挿されている。基板接続部２３は端子本体部２１の下端側から水平方向に延び、その先端側をコネクタ本体１０の外部に突出している。この場合、各溝１１ａ，１２ａには、基板接続部２３が前壁部１１側に延びる端子２０と後壁部１２側に延びる端子２０とが交互に配置されている。
【００２１】
押圧部材３０は合成樹脂の一体成型品からなり、略Ｌ字状に形成されている。即ち、押圧部材３０は、コネクタ本体１０内に配置される押圧片３１と、コネクタ本体１０の外部に配置される操作片３２と、押圧片３１の幅方向両端側にそれぞれ形成された支持片３３と、各支持片３３にそれぞれ設けられた支軸３４とからなり、コネクタ本体１０に各支軸３４を中心に回動自在に取付けられている。押圧片３１は、その先端側にフレキシブル回路１と接触する平面状の接触部３１ａを有し、接触部３１ａはフレキシブル回路１と接触する際にフレキシブル回路１の表面と平行になるように押圧片３１に対して約４５°に形成されている。操作片３２は、その先端側に上方に突出する突設部３２ａを有し、回動操作時に指先を係止し易いようになっている。また、操作片３２の上面にはフレキシブル回路１の位置決めのための三角形のマーク３２ｂが幅方向所定位置に設けられている。各支持片３２は押圧片３１から後方に延び、各支持片３２に設けられた支軸３４が押圧片３１よりも後壁部１２側に偏位している。各支軸３４は各支持片３３に各側壁部１３側に向かって突設され、各スリット１３ａ，１３ｂの連通部分に挿入されている。この場合、各支軸３４は上側スリット１３ａの下端と下側スリット１３ｂの上端との間に回動自在に支持されている。
【００２２】
また、押圧片３１の一方の面にはコネクタ本体１０内のロック部１４に係止可能な第１及び第２の係止部３１ｂ，３１ｃが設けられている。第１の係止部３１ｂは押圧片３１に対して約４５°をなす面によって形成され、図９に示すように押圧部材３０を一方の回動位置（押圧位置）まで回動すると、第１の係止部３１ｂがロック部１４に係止するようになっている。また、第２の係止部３１ｃは押圧片３１と平行な面によって形成され、図８に示すように押圧部材３０を他方の回動位置（押圧解除位置）まで回動すると、第２の係止部３１ｃがロック部１４に係止するようになっている。この場合、各係止部３１ｂ，３１ｃの間には突起部３１ｄが設けられており、押圧部材３０の回動方向に所定の大きさ以上の力を加えると、合成樹脂の弾性により突起部３１ｄがロック部１４を強制的に乗り越えるようになっている。即ち、ロック部１４、係止部３１ｂ，３１ｃ及び突起部３１ｄによってロック手段を構成している。
【００２３】
以上のように構成されたコネクタにおいては、各端子２０の基板接続部２３を任意の基板２に半田付けすることにより、コネクタ本体１０が基板２に固定される。また、フレキシブル回路１をコネクタに接続する場合は、図８に示すように押圧部材３０を押圧解除位置にしておき、フレキシブル回路１の先端側をコネクタ本体１０の上面側に挿入する。その際、フレキシブル回路１はコネクタ本体１０の後壁部１２と押圧部材３０の押圧片３１との間に挿入され、コネクタ本体１０の底面側の当接部１６に当接して挿入方向に位置決めされる。次に、図９に示すように押圧部材３０を下方に約４５°回動すると、押圧片３１の接触部３１ａがフレキシブル回路１に接触し、フレキシブル回路１が接触部３１ａによって各端子２０側に押圧される。これにより、各端子２０がフレキシブル回路１に弾性的に圧接し、フレキシブル回路１が各端子２０に電気的に接続される。その際、押圧部材３０の接触部３１ａはフレキシブル回路１にほぼ垂直な方向から接触することから、フレキシブル回路１が挿入方向及び反挿入方向の何れにも位置ずれを生ずることがない。即ち、押圧部材３０は、図１１に示すように接触部３１ａの回転軌跡Ｂ（押圧部材３０の回動支点Ｐを中心とする円）の接線Ｃがフレキシブル回路１との接触位置においてフレキシブル回路１の接触面１ａとほぼ垂直をなすようになっている。
【００２４】
このように、本実施形態のコネクタによれば、フレキシブル回路１を各端子２０側に押圧する押圧部材３０を、フレキシブル回路１の接触面に対してほぼ垂直な方向から接触するように形成したので、押圧時にフレキシブル回路１が挿入方向及び反挿入方向の何れにも位置ずれを生ずることがなく、フレキシブル回路１と各端子２０との位置ずれによる接触不良やフレキシブル回路１の撓み、変形を確実に防止することができる。
【００２５】
この場合、接触部３１ａの回転軌跡Ｂの接線Ｃがフレキシブル回路１との接触位置においてフレキシブル回路１の接触面１ａとほぼ垂直をなすようにしたので、支軸３４を中心に回動する押圧部材３０をフレキシブル回路１に常に垂直方向から接触させることができ、フレキシブル回路１の位置ずれをより効果的に防止することがきる。
【００２６】
また、押圧部材３０の接触部３１ａをフレキシブル回路１と面接触する平面によって形成したので、フレキシブル回路１との接触面積が大きくなり、フレキシブル回路１を確実に保持することができる。この場合、面接触により押圧部材３０の押圧力を接触部３１ａにおいて均一に分散させることができるので、集中的な押圧によるフレキシブル回路１の変形を確実に防止することができる。
【００２７】
更に、コネクタ本体１０内に設けたロック部１４に押圧部材３０の第１及び第２の係止部３１ｂ，３１ｃを係止させることにより、押圧部材３０を一方の回動位置（押圧位置）と、他方の回動位置（押圧解除位置）でそれぞれロックするようにしたので、押圧部材３０を各回動位置にそれぞれ保持することができる。これにより、押圧時はフレキシブル回路１の押圧状態を確実に維持することができ、押圧解除時はフレキシブル回路１の抜き差しを常に支障なく行うことができる。
【００２８】
この場合、押圧部材３０の回動方向に所定の大きさ以上の力を加えると、各係止部３１ｂ，３１ｃの間に設けた突起部３１ｄがロック部１４を強制的に乗り越えることにより、押圧位置及び押圧解除位置の一方の位置でのロックが解除されて他方の位置でロックされるようにしたので、押圧部材３０の回動操作以外に別途ロック操作及びロック解除操作を必要とせず、フレキシブル回路１の着脱を極めて容易に行うことができる。また、突起部３１ｄがロック部１４を乗り越える際に生ずる、いわゆるクリック感により、ロック時の確実な操作感を得ることができる。
【００２９】
【発明の効果】
以上説明したように、請求項１のコネクタによれば、コネクタ本体に挿入された接続対象物を押圧部材によって押圧する際、接続対象物が挿入方向及び反挿入方向の何れにも位置ずれを生ずることがないので、接続対象物と端子との位置ずれによる接触不良や接続対象物の撓み、変形を確実に防止することができる。従って、フレキシブルプリント回路（ＦＰＣ）またはフレキシブルフラットケーブル（ＦＦＣ）等を接続する場合に極めて有利である。
【００３０】
また、請求項２のコネクタによれば、請求項１の効果に加え、回動する押圧部材を接続対象物に常に垂直方向から接触させることができるので、接続対象物の位置ずれをより効果的に防止することがきる。
【００３１】
また、請求項３のコネクタによれば、請求項１または２の効果に加え、押圧部材と接続対象物との接触面積を大きくすることができるので、接続対象物を確実に保持することができ、しかも押圧部材の押圧力を接触部において均一に分散させることができるので、集中的な押圧による接続対象物の変形を確実に防止することができる。
【００３２】
また、請求項４のコネクタによれば、請求項１、２または３の効果に加え、押圧部材を一方の回動位置（押圧位置）と、他方の回動位置（押圧解除位置）でそれぞれ保持することができるので、押圧時は接続対象物の押圧状態を確実に維持することができ、押圧解除時は接続対象物の抜き差しを常に支障なく行うことができる。
【００３３】
また、請求項５のコネクタによれば、請求項４の効果に加え、押圧部材の回動操作以外に別途ロック操作及びロック解除操作を必要としないので、接続対象物の着脱を極めて容易に行うことができる。
【図面の簡単な説明】
【図１】本発明の一実施形態を示すコネクタの正面側斜視図
【図２】コネクタの背面側斜視図
【図３】コネクタの正面図
【図４】コネクタの一部断面背面図
【図５】コネクタの側面図
【図６】コネクタの平面図
【図７】コネクタの底面図
【図８】押圧解除時を示すコネクタの側面断面図
【図９】押圧時を示すコネクタの側面断面図
【図１０】図８のＡ−Ａ線矢視方向断面図
【図１１】押圧部材の側面断面図
【符号の説明】
１…フレキシブル回路、１０…コネクタ本体、１４…ロック部、２０…端子、３０…押圧部材、３１ａ…接触部、３１ｂ…第１の係止部、３１ｃ…第２の係止部、３１ｄ…突起部。
【図１】
2004079337.tif 000003
【図２】
2004079337.tif 000004
【図３】
2004079337.tif 000005
【図４】
2004079337.tif 000006
【図５】
2004079337.tif 000007
【図６】
2004079337.tif 000008
【図７】
2004079337.tif 000009
【図８】
2004079337.tif 000010
【図９】
2004079337.tif 000011
【図１０】
2004079337.tif 000012
【図１１】
2004079337.tif 000013